(57)【要約】【課題】  ページングエリア（ＰＡ）の広さを適切に変更して効率的に位置登録回数を削減する。【解決手段】  交換ノード３００は、基地局２００の一部をまとめて広域ＰＡを定義して広域ＰＡ番号を付与する。基地局２００は、予め付与されるＰＡ番号と交換ノード３００からの広域ＰＡ番号を記憶し、移動無線端末１００からの位置登録要求時に、通常はＰＡ番号を通知し、広域ＰＡ割り当て指示に応じて広域ＰＡ番号を通知する。移動無線端末１００では、ＰＡ番号または広域ＰＡ番号を受け取って記憶し、記憶した番号と異なるＰＡ番号または広域ＰＡ番号を受け取ったときに位置登録を要求する。このとき、ＰＡを跨いで移動した回数を計数して記憶し、位置登録要求する際に移動回数を交換ノード３００に通知する。交換ノード３００では、移動無線端末１００からの移動回数が閾値を超えたとき、その移動無線端末１００に対して広域ＰＡを割り当てる。【選択図】      図１
2009076974.tif 000002
【特許請求の範囲】
【請求項１】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムにおいて、
前記交換ノードに設けられ、前記複数の基地局装置の一部をまとめて広域ページングエリアを定義し、その広域ページングエリアを形成する基地局装置に広域ページングエリア番号を付与する広域ページングエリア規定手段と、
前記複数の基地局装置それぞれに設けられ、予め前記ページングエリア毎に付与されるページングエリア番号と共に広域ページングエリア番号を記憶し、前記移動無線端末からの位置登録要求時に、通常は前記ページングエリア番号を通知し、前記交換ノードからの広域ページングエリア割り当て指示に応じて前記広域ページングエリア番号を前記移動無線端末に通知する番号通知手段と、
前記移動無線端末に設けられ、前記ページングエリア番号または前記広域ページングエリア番号を受け取って記憶し、記憶した番号と異なるページングエリア番号または広域ページングエリア番号を公告する基地局装置のエリアに移動したとき、前記位置登録を要求する位置登録要求手段と、
前記移動無線端末に設けられ、前記ページングエリアを跨いで移動した回数を計数して記憶し、前記位置登録要求する際に前記移動回数を前記交換ノードに通知する回数通知手段と、
前記交換ノードに設けられ、前記移動無線端末からの移動回数が閾値を超えたとき、その移動無線端末に対して広域ページングエリアを割り当てる広域割当手段と、
前記交換ノードに設けられ、前記広域ページングエリアに割り当てられた移動無線端末宛に着信があったとき、前記広域ページングエリアを形成する各基地局装置にその移動無線端末に対する同報着信を実行させる着信制御手段と
を具備することを特徴とする移動通信システム。
【請求項２】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムにおいて、
前記交換ノードに設けられ、前記複数の基地局装置の一部をまとめて広域ページングエリアを定義し、その広域ページングエリアを形成する基地局装置に広域ページングエリア番号を付与する広域ページングエリア規定手段と、
前記複数の基地局装置それぞれに設けられ、予め前記ページングエリア毎に付与されるページングエリア番号と共に広域ページングエリア番号を記憶し、前記移動無線端末からの位置登録要求時に、通常は前記ページングエリア番号を通知し、前記交換ノードからの広域ページングエリア割り当て指示に応じて前記広域ページングエリア番号を前記移動無線端末に通知する番号通知手段と、
前記移動無線端末に設けられ、前記ページングエリア番号または前記広域ページングエリア番号を受け取って記憶し、記憶した番号と異なるページングエリア番号または広域ページングエリア番号を公告する基地局装置のエリアに移動したとき、前記位置登録を要求する位置登録要求手段と、
前記移動無線端末に設けられ、前記ページングエリアを跨いで移動した回数を計数して記憶し、前記位置登録要求する際に前記移動回数を前記交換ノードに通知する回数通知手段と、
前記交換ノードに設けられ、前記移動無線端末からの移動回数が閾値を超えたとき、その移動無線端末に対して広域ページングエリアを割り当てる広域割当手段と、
前記交換ノードに設けられ、前記広域ページングエリアに割り当てられた移動無線端末宛に着信があったとき、前記広域ページングエリアを形成する各基地局装置にその移動無線端末に対する同報着信を実行させる着信制御手段と
前記交換ノードを通じて前記移動無線端末の位置登録を受け付けて全ページングエリア内の移動無線端末の位置を管理するサーバ装置と
を具備し、
前記移動無線端末の位置登録要求手段は、前記ページングエリアを跨って移動する際に、移動前の第１のページングエリアのエリア番号を保存しつつ移動後の第２のページングエリアのエリア番号を記憶して、前記第１及び第２のページングエリア間で移動を繰り返すときは前記位置登録要求を停止し、
前記サーバ装置は前記移動無線端末の位置登録を受け付ける際に、受付前の第１のページングエリアのエリア番号を保存しつつ受付後の第２のページングエリアのエリア番号を記憶し、
前記交換ノードの着信制御手段は、前記移動無線端末への着信があったとき、前記サーバ装置に該当する移動無線端末の位置登録エリアを問い合わせて前記第１及び第２のページングエリアのエリア番号を取得して、対応するエリア番号が付与された基地局装置に同報着信を実行させることを特徴とする移動通信システム。
【請求項３】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムにおいて、
前記交換ノードに設けられ、前記複数の基地局装置の一部をまとめて広域ページングエリアを定義し、その広域ページングエリアを形成する基地局装置に広域ページングエリア番号を付与する広域ページングエリア規定手段と、
前記複数の基地局装置それぞれに設けられ、予め前記ページングエリア毎に付与されるページングエリア番号と共に広域ページングエリア番号を記憶し、前記移動無線端末からの位置登録要求時に、通常は前記ページングエリア番号を通知し、前記交換ノードからの広域ページングエリア割り当て指示に応じて前記広域ページングエリア番号を前記移動無線端末に通知する番号通知手段と、
前記移動無線端末に設けられ、前記ページングエリア番号または前記広域ページングエリア番号を受け取って記憶し、記憶した番号と異なるページングエリア番号または広域ページングエリア番号を公告する基地局装置のエリアに移動したとき、前記位置登録を要求する位置登録要求手段と、
前記移動無線端末に設けられ、前記ページングエリアを跨いで移動した回数を計数して記憶し、前記位置登録要求する際に前記移動回数を前記交換ノードに通知する回数通知手段と、
前記交換ノードに設けられ、前記移動無線端末からの移動回数が閾値を超えたとき、その移動無線端末に対して広域ページングエリアを割り当てる広域割当手段と、
前記交換ノードに設けられ、前記広域ページングエリアに割り当てられた移動無線端末宛に着信があったとき、前記広域ページングエリアを形成する各基地局装置にその移動無線端末に対する同報着信を実行させる着信制御手段と
前記交換ノードを通じて前記移動無線端末の位置登録を受け付けて全ページングエリア内の移動無線端末の位置を管理するサーバ装置と
を具備し、
前記交換ノードは、さらに前記移動無線端末の位置登録を受け付ける際に、受付前の第１のページングエリアのエリア番号を保存しつつ受付後の第２のページングエリアのエリア番号を記憶するエリア番号記憶手段を備え、
前記交換ノードの着信制御手段は、前記移動無線端末への着信があったとき、前記サーバ装置に該当する移動無線端末の位置登録エリアを問い合わせて前記第２のページングエリアのエリア番号を取得して、前記交換ノード内に記憶されている第１のページングエリアおよび第２のページングエリアの双方に対応するエリア番号が付与された基地局装置に同報着信を実行させることを特徴とする移動通信システム。
【請求項４】
前記交換ノードの広域ページングエリア規定手段は、前記交換ノードのカバーエリア内で発生する単位時間あたりの位置登録回数に対する第１の上限と前記広域ページングエリアへの着呼回数と広域ページングエリアに含まれる基地局装置数の積に対する第２の上限を決めておき、位置登録回数が増大した場合には、移動無線端末がページングエリアを跨いで移動する回数に対する閾値を高くし、着呼回数が増大した場合には移動回数に対する閾値を低くし、それぞれが第１及び第２の上限を超えないように閾値を変更して、トラヒックが増加した場合に位置登録によるトラフィックと着呼によるトラヒックのバランスを自動的にとることを特徴とする請求項１乃至３のいずれか記載の移動通信システム。
【請求項５】
前記交換ノードの広域ページングエリア規定手段は、前記移動無線端末の移動に伴う位置登録回数を基地局装置ごとに計数し、その位置登録回数が基準値より多い基地局装置をまとめて広域ページングエリアとして定義し、その後、新たに定義した広域ページングエリアから移動無線端末が周辺のページングエリアへ移動するとき、その位置登録回数を基地局装置ごとに計数し、移動が基準値より多く発生する基地局装置を広域ページングエリアに追加登録して動的に広域ページングエリアを形成する請求項１乃至３のいずれか記載の移動通信システム。
【請求項６】
前記交換ノードの広域ページングエリア規定手段は、広域ページングエリアにおいて、前記移動無線端末の移動に伴う位置登録回数が基準値より少ない場合には、その広域ページングエリアに含まれる基地局装置に付与するページングエリア番号を変更し、これらの基地局装置で構成される新たなページングエリアを定義して、位置登録回数の少ないページングエリアを自動的に形成することを特徴とする請求項５記載の移動通信システム。
【請求項７】
前記交換ノードは、予めカバーエリア内で発生する位置登録回数に上限の閾値を決めておき、
前記移動無線端末は、予め無線電界強度の下限の閾値を決めておき、複数の周波数が利用可能な場合には、通常は最も電界強度の高い周波数を選択するものとし、
前記交換ノードは、カバーエリア内で発生する位置登録回数が閾値を超えた場合には、前記移動無線端末に対して予め決められた電界強度の下限の閾値になるまでは位置登録を行わないように指示し、
前記移動無線端末は、前記無線電界強度が前記下限の閾値を下回った時点で位置登録を行うことを特徴とする請求項１乃至３のいずれか記載の移動通信システム。
【請求項８】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムに用いられる前記基地局装置であって、
前記交換ノードが、前記複数の基地局装置の一部をまとめて広域ページングエリアを定義し、その広域ページングエリアを形成する基地局装置に広域ページングエリア番号を付与するとき、
予め前記ページングエリア毎に付与されるページングエリア番号と共に広域ページングエリア番号を記憶するエリア番号記憶手段と、
前記移動無線端末からの位置登録要求時に、通常は前記ページングエリア番号を通知し、前記交換ノードからの広域ページングエリア割り当て指示に応じて前記広域ページングエリア番号を前記移動無線端末に通知する番号通知手段と
を具備することを特徴とする移動通信システムの基地局装置。
【請求項９】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムに用いられる前記移動無線端末であって、
前記交換ノードが、前記複数の基地局装置の一部をまとめて広域ページングエリアを定義し、その広域ページングエリアを形成する基地局装置に広域ページングエリア番号を付与し、
前記複数の基地局装置が、それぞれ予め前記ページングエリア毎に付与されるページングエリア番号と共に広域ページングエリア番号を記憶し、前記移動無線端末からの位置登録要求時に、通常は前記ページングエリア番号を通知し、前記交換ノードからの広域ページングエリア割り当て指示に応じて前記広域ページングエリア番号を前記移動無線端末に通知するとき、
前記ページングエリア番号または前記広域ページングエリア番号を受け取って記憶するエリア番号記憶手段と、
前記エリア番号記憶手段で記憶した番号と異なるページングエリア番号または広域ページングエリア番号を受け取ったとき、前記位置登録を要求する位置登録要求手段と、
前記ページングエリアを跨いで移動した回数を計数して記憶する移動回数記憶手段と、
前記位置登録要求する際に前記移動回数を前記交換ノードに通知する回数通知手段と
を具備し、
前記交換ノード側で、前記移動無線端末からの移動回数が閾値を超えたとき、その移動無線端末に対して広域ページングエリアを割り当て、当該広域ページングエリアを形成する各基地局装置にその割り当てを指示して前記広域ページングエリア番号を通知させ、前記広域ページングエリアに割り当てられた移動無線端末宛に着信があったとき、前記広域ページングエリアを形成する各基地局装置にその移動無線端末に対する同報着信を実行させることを特徴とする移動通信システムの移動無線端末。
【請求項１０】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムに用いられる前記交換ノードであって、
前記複数の基地局装置の一部をまとめて広域ページングエリアを定義し、その広域ページングエリアを形成する基地局装置に広域ページングエリア番号を付与して、前記複数の基地局装置それぞれに広域ページングエリアの割り当てを指示する広域ページングエリア規定手段と、
前記移動無線端末から前記ページングエリアを跨ぐ移動回数の通知を受けてその移動回数が閾値を超えたとき、その移動無線端末に対して広域ページングエリアを割り当て、当該広域ページングエリアを形成する各基地局装置にその割り当てを指示して前記広域ページングエリア番号を通知させる広域対応通知手段と、
前記広域ページングエリアに割り当てられた移動無線端末宛に着信があったとき、前記広域ページングエリアを形成する各基地局装置にその移動無線端末に対する同報着信を実行させる着信制御手段と
を具備することを特徴とする移動通信システムの交換ノード。
【請求項１１】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードと、前記移動無線端末の位置登録を受け付けて全ページングエリア内の移動無線端末の位置を管理するサーバ装置とを備え、前記交換ノードで前記移動無線端末からの位置登録要求を受け付けて各端末が存在するページングエリアを管理する移動通信システムに用いられる前記交換ノードであって、
前記複数の基地局装置の一部をまとめて広域ページングエリアを定義し、その広域ページングエリアを形成する基地局装置に広域ページングエリア番号を付与して、前記複数の基地局装置それぞれに広域ページングエリアの割り当てを指示する広域ページングエリア規定手段と、
前記移動無線端末から前記ページングエリアを跨ぐ移動回数の通知を受けてその移動回数が閾値を超えたとき、その移動無線端末に対して広域ページングエリアを割り当て、当該広域ページングエリアを形成する各基地局装置にその割り当てを指示して前記広域ページングエリア番号を通知させる広域対応通知手段と、
前記広域ページングエリアに割り当てられた移動無線端末宛に着信があったとき、前記広域ページングエリアを形成する各基地局装置にその移動無線端末に対する同報着信を実行させる着信制御手段と
を具備し、
前記移動無線端末が、前記ページングエリアを跨って移動する際に、移動前の第１のページングエリアのエリア番号を保存しつつ移動後の第２のページングエリアのエリア番号を記憶して、前記第１及び第２のページングエリア間で移動を繰り返すときは前記位置登録要求を停止し、前記サーバ装置が前記移動無線端末の位置登録を受け付ける際に、受付前の第１のページングエリアのエリア番号を保存しつつ受付後の第２のページングエリアのエリア番号を記憶するとき、
前記着信制御手段は、前記移動無線端末への着信があったとき、前記サーバ装置に該当する移動無線端末の位置登録エリアを問い合わせて前記第１及び第２のページングエリアのエリア番号を取得して、対応するエリア番号が付与された基地局装置に同報着信を実行させることを特徴とする移動通信システムの交換ノード。
【請求項１２】
無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードと、前記移動無線端末の位置登録を受け付けて全ページングエリア内の移動無線端末の位置を管理するサーバ装置とを備え、前記交換ノードで前記移動無線端末からの位置登録要求を受け付けて各端末が存在するページングエリアを管理する移動通信システムに用いられる前記交換ノードであって、
前記複数の基地局装置の一部をまとめて広域ページングエリアを定義し、その広域ページングエリアを形成する基地局装置に広域ページングエリア番号を付与して、前記複数の基地局装置それぞれに広域ページングエリアの割り当てを指示する広域ページングエリア規定手段と、
前記移動無線端末から前記ページングエリアを跨ぐ移動回数の通知を受けてその移動回数が閾値を超えたとき、その移動無線端末に対して広域ページングエリアを割り当て、当該広域ページングエリアを形成する各基地局装置にその割り当てを指示して前記広域ページングエリア番号を通知させる広域対応通知手段と、
前記広域ページングエリアに割り当てられた移動無線端末宛に着信があったとき、前記広域ページングエリアを形成する各基地局装置にその移動無線端末に対する同報着信を実行させる着信制御手段と
を具備し、
前記移動無線端末が、前記ページングエリアを跨って移動する際に、移動前の第１のページングエリアのエリア番号を保存しつつ移動後の第２のページングエリアのエリア番号を記憶して、前記第１及び第２のページングエリア間で移動を繰り返すときは前記位置登録要求を停止するとき、
さらに、前記移動無線端末の位置登録を受け付ける際に、受付前の第１のページングエリアのエリア番号を保存しつつ受付後の第２のページングエリアのエリア番号を記憶するエリア番号記憶手段を備え、
前記着信制御手段は、前記移動無線端末への着信があったとき、前記サーバ装置に該当する移動無線端末の位置登録エリアを問い合わせて前記第２のページングエリアのエリア番号を取得して、前記交換ノード内に記憶されている第１のページングエリアおよび第２のページングエリアの双方に対応するエリア番号が付与された基地局装置に同報着信を実行させることを特徴とする移動通信システムの交換ノード。
【請求項１３】
前記広域ページングエリア規定手段は、前記交換ノードのカバーエリア内で発生する単位時間あたりの位置登録回数に対する第１の上限と前記広域ページングエリアへの着呼回数と広域ページングエリアに含まれる基地局装置数の積に対する第２の上限を決めておき、位置登録回数が増大した場合には、移動無線端末がページングエリアを跨いで移動する回数に対する閾値を高くし、着呼回数が増大した場合には移動回数に対する閾値を低くし、それぞれが第１及び第２の上限を超えないように閾値を変更して、トラヒックが増加した場合に位置登録によるトラフィックと着呼によるトラヒックのバランスを自動的にとることを特徴とする請求項１０乃至１２のいずれか記載の移動通信システムの交換ノード。
【請求項１４】
前記広域ページングエリア規定手段は、前記移動無線端末の移動に伴う位置登録回数を基地局装置ごとに計数し、その位置登録回数が基準値より多い基地局装置をまとめて広域ページングエリアとして定義し、その後、新たに定義した広域ページングエリアから移動無線端末が周辺のページングエリアへ移動するとき、その位置登録回数を基地局装置ごとに計数し、移動が基準値より多く発生する基地局装置を広域ページングエリアに追加登録して動的に広域ページングエリアを形成する請求項１０乃至１２のいずれか記載の移動通信システムの交換ノード。
【請求項１５】
前記広域ページングエリア規定手段は、広域ページングエリアにおいて、前記移動無線端末の移動に伴う位置登録回数が基準値より少ない場合には、その広域ページングエリアに含まれる基地局装置に付与するページングエリア番号を変更し、これらの基地局装置で構成される新たなページングエリアを定義して、位置登録回数の少ないページングエリアを自動的に形成することを特徴とする請求項１４記載の移動通信システムの交換ノード。
【発明の詳細な説明】
【技術分野】
【０００１】
本発明は、ＩＰ（Internet Protocol）網などを利用して移動通信を実現する移動通信システムと、この種のシステムに用いられる基地局装置、移動無線端末および交換ノードに関する。
【背景技術】
【０００２】
携帯電話システム等の移動通信システムでは、個々の移動無線端末に対して、着呼に備えて位置登録させておき、交換ノードにより、移動無線端末が位置登録したページングエリア（ＰＡ）に対して一斉呼び出しを行い着信させるようにしている（例えば特許文献１参照）。ところが、ページングエリアが広いと一斉呼び出しする基地局（ＣＳ）数が増大してしまい、狭いと位置登録回数が増大してしまうことになり、いずれにしろトラヒックが増大して通信帯域を逼迫してしまうという問題があった。特に、移動無線端末がページングエリア間を高速移動したり、２つのページングエリアの境界付近で位置登録が繰り返されたりする場合には、トラヒックの増大が顕著に現れる。
【特許文献１】特開２００４−２８２２３４号公報
【発明の開示】
【発明が解決しようとする課題】
【０００３】
以上述べたように、従来の移動通信システムでは、ページングエリアの広さに起因するトラヒックの増大、移動無線端末移動時の位置登録繰り返しによるトラヒックの増大が通信帯域を逼迫している。
【０００４】
本発明は上記の課題を解決すべく、ページングエリアの広さを適切に変更して効率的に位置登録回数を削減することができ、また、ページングエリア間の境界付近で位置登録が繰り返されることを防止することのできる移動通信システムとその基地局装置、移動無線端末及び交換ノードを提供することを目的とする。
【課題を解決するための手段】
【０００５】
上記問題を解決するために、本発明に係る移動通信システムは、無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理するシステムであって、前記交換ノードに設けられ、前記複数の基地局装置の一部をまとめて広域ページングエリアを定義し、その広域ページングエリアを形成する基地局装置に広域ページングエリア番号を付与する広域ページングエリア規定手段と、前記複数の基地局装置それぞれに設けられ、予め前記ページングエリア毎に付与されるページングエリア番号と共に広域ページングエリア番号を記憶し、前記移動無線端末からの位置登録要求時に、通常は前記ページングエリア番号を通知し、前記交換ノードからの広域ページングエリア割り当て指示に応じて前記広域ページングエリア番号を前記移動無線端末に通知する番号通知手段と、前記移動無線端末に設けられ、前記ページングエリア番号または前記広域ページングエリア番号を受け取って記憶し、記憶した番号と異なるページングエリア番号または広域ページングエリア番号公告する基地局装置のエリアに移動したとき、前記位置登録を要求する位置登録要求手段と、前記移動無線端末に設けられ、前記ページングエリアを跨いで移動した回数を計数して記憶し、前記位置登録要求する際に前記移動回数を前記交換ノードに通知する回数通知手段と、前記交換ノードに設けられ、前記移動無線端末からの移動回数が閾値を超えたとき、その移動無線端末に対して広域ページングエリアを割り当てる広域割当手段と、前記交換ノードに設けられ、前記広域ページングエリアに割り当てられた移動無線端末宛に着信があったとき、前記広域ページングエリアを形成する各基地局装置にその移動無線端末に対する同報着信を実行させる着信制御手段とを具備することを特徴とする。
【０００６】
また、本発明に係る移動通信システムの基地局装置は、無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムに用いられ、前記交換ノードが、前記複数の基地局装置の一部をまとめて広域ページングエリアを定義し、その広域ページングエリアを形成する基地局装置に広域ページングエリア番号を付与するとき、予め前記ページングエリア毎に付与されるページングエリア番号と共に広域ページングエリア番号を記憶するエリア番号記憶手段と、前記移動無線端末からの位置登録要求時に、通常は前記ページングエリア番号を通知し、前記交換ノードからの広域ページングエリア割り当て指示に応じて前記広域ページングエリア番号を前記移動無線端末に通知する番号通知手段とを具備することを特徴とする。
【０００７】
また、本発明に係る移動通信システムの移動無線端末は、無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムに用いられ、前記交換ノードが、前記複数の基地局装置の一部をまとめて広域ページングエリアを定義し、その広域ページングエリアを形成する基地局装置に広域ページングエリア番号を付与し、前記複数の基地局装置が、それぞれ予め前記ページングエリア毎に付与されるページングエリア番号と共に広域ページングエリア番号を記憶し、前記移動無線端末からの位置登録要求時に、通常は前記ページングエリア番号を通知し、前記交換ノードからの広域ページングエリア割り当て指示に応じて前記広域ページングエリア番号を前記移動無線端末に通知するとき、前記ページングエリア番号または前記広域ページングエリア番号を受け取って記憶するエリア番号記憶手段と、前記エリア番号記憶手段で記憶した番号と異なるページングエリア番号または広域ページングエリア番号を受け取ったとき、前記位置登録を要求する位置登録要求手段と、前記ページングエリアを跨いで移動した回数を計数して記憶する移動回数記憶手段と、前記位置登録要求する際に前記移動回数を前記交換ノードに通知する回数通知手段とを具備し、前記交換ノード側で、前記移動無線端末からの移動回数が閾値を超えたとき、その移動無線端末に対して広域ページングエリアを割り当て、当該広域ページングエリアを形成する各基地局装置にその割り当てを指示して前記広域ページングエリア番号を通知させ、前記広域ページングエリアに割り当てられた移動無線端末宛に着信があったとき、前記広域ページングエリアを形成する各基地局装置にその移動無線端末に対する同報着信を実行させることを特徴とする。
【０００８】
また、本発明に係る移動通信システムの交換ノードは、無線により通信を行う移動無線端末と、互いに隣接または一部重なり合うページングエリアを形成してエリア内の前記移動無線端末と通信を行う複数の基地局装置と、前記複数の基地局装置を通信網に接続するための交換ノードとを備え、前記交換ノードで前記移動無線端末からの位置登録要求を受け付けて各端末が存在するページングエリアを管理する移動通信システムに用いられ、前記複数の基地局装置の一部をまとめて広域ページングエリアを定義し、その広域ページングエリアを形成する基地局装置に広域ページングエリア番号を付与して、前記複数の基地局装置それぞれに広域ページングエリアの割り当てを指示する広域ページングエリア規定手段と、前記移動無線端末から前記ページングエリアを跨ぐ移動回数の通知を受けてその移動回数が閾値を超えたとき、その移動無線端末に対して広域ページングエリアを割り当て、当該広域ページングエリアを形成する各基地局装置にその割り当てを指示して前記広域ページングエリア番号を通知させる広域対応通知手段と、前記広域ページングエリアに割り当てられた移動無線端末宛に着信があったとき、前記広域ページングエリアを形成する各基地局装置にその移動無線端末に対する同報着信を実行させる着信制御手段とを具備することを特徴とする。
【０００９】
すなわち、本発明に係る移動通信システムでは、大小２つのページングエリアを重ね合わせることにより、移動無線端末ごとにページングエリアの割り当てを変更する。特に、移動量の大きい移動無線端末には広いページングエリアを割り当て、移動量の少ない移動無線端末には狭いページングエリアを割り当てることにより、ページングエリアを無駄に拡大することなく、効率的に位置登録回数を削減する。
【００１０】
また、２つの隣接するページングエリアを連結して一斉呼び出しすることにより、ページングエリア間の境界付近で位置登録を繰り返すことを防止する。
【発明の効果】
【００１１】
本発明によれば、ページングエリアの広さを適切に変更して効率的に位置登録回数を削減することができ、また、ページングエリア間の境界付近で位置登録が繰り返されることを防止することのできる移動通信システムとその基地局装置、移動無線端末および交換ノードを提供することができる。
【発明を実施するための最良の形態】
【００１２】
以下、図面を参照して本発明の実施の形態について詳細に説明する。
【００１３】
図１は本発明の一実施形態とする移動通信システムの全体的な構成を示すブロック図、図２及び図３はそれぞれ図１に示すシステムの仕組みを説明するための概略構成図及びシーケンス図を示している。
【００１４】
図１において、１００は移動無線端末、２００はページングエリア（図ではＰＡ）を形成してエリア内の移動無線端末と通信を行う基地局（図ではＣＳ）、３００は基地局１００を公衆回線網及びＩＰ（インターネット・プロトコル）網に接続するための交換ノード、４００は上記公衆回線網を介して交換ノード３００と接続され、移動無線端末１００から通知される位置登録情報を格納する位置登録サーバ、５００は上記ＩＰ網を介して交換ノード３００の構成要素をパラメータ設定により管理する構成管理サーバである。
【００１５】
上記移動無線端末１００は、基地局２００との間で無線により情報を送受信する無線送受信部１１０、送受信の制御及び情報処理を行うための主演算部１２０、無線に使用する周波数の選択状況を記憶する周波数選択記憶部１３１、基地局２００から通知される位置登録ページングエリア番号を記憶する位置登録ＰＡ番号記憶部１３２、基地局２００に位置登録を行った回数を記憶する位置登録回数記憶部１３３などから構成される。
【００１６】
上記基地局２００は、ページングエリア内の移動無線端末１００との間で無線により情報を送受信する無線送受信部２１０、移動無線端末１００および交換ノード３００に対する通信処理を制御する主演算部２２０、予め指定される管轄ページングエリアの番号を記憶する管轄ＰＡ番号記憶部２３１、および交換ノード３００との間で通信を行うための交換ノードインタフェース２４１などから構成される。
【００１７】
上記交換ノード３００は、通信処理、情報処理を制御するための主演算部３２０、移動無線端末１００の位置登録回数を記憶する位置登録回数記憶部３３１、ページングエリア番号及び広域ページングエリア番号を記憶するＰＡ／広域ＰＡ番号記憶部３３２、個々の移動無線端末１００に対する位置登録回数の許容値を示す閾値を記憶する位置登録回数閾値記憶部３３３、広域ページングエリアの構成を記憶する広域ＰＡ記憶部３３４、基地局２００との間の通信を制御する基地局インタフェース３４１、電話回線網を介して位置登録サーバ４００との通信を行うための電話回線網インタフェース３４２、ＩＰ網を介して構成管理サーバ５００との通信を行うためのＩＰ網インタフェース３４３、通信の保守点検を司る保守インタフェース３４４などから構成される。
【００１８】
上記構成による移動通信システムにおいて、上記移動無線端末１００は、ページングエリアに入った時点で、通信可能な基地局２００に位置登録を行う。一方、基地局２００は、位置登録を受けた移動無線端末１００に対する着信を受けた場合には、管轄ページングエリアに一斉呼び出しを行う。１つのページングエリアは複数の基地局２００で管轄されるが、基地局２００の数が多くなると、個々の基地局２００が一斉呼び出しを行うため、多くの無線リソースを必要とする。一方、１つのページングエリアを狭くすると、移動無線端末１００の移動に伴って位置登録のための通信が頻繁に発生するため、位置登録パケットが増大してしまう。
【００１９】
そこで、本発明では、ページングエリア内の基地局２００が２つのページングエリア番号を移動無線端末１００に通知することによりこの問題を解決する。この仕組みを、図２と図３を参照しながら説明する。
【００２０】
図２において、複数のページングエリアＳ１１〜Ｓ１６，Ｓ２１〜Ｓ２６が隣接または一部重なり合って配置されているとき、これら複数のページングエリアのうちの一部を包含する広域ページングエリアＬ１（Ｓ１１〜Ｓ１６），Ｌ２（Ｓ２１〜Ｓ２６）を定義する。この場合、基地局２００は、管轄ＰＡ番号記憶部２３１に記憶されている基地局２００の属するページングエリアのページングエリア番号と共に広域ページングエリア番号をエリア内の無線移動端末１００に向けて報知する。一方、上記移動無線端末１００は、ページングエリアを移動した時刻と単位時間内にページングエリアを跨いで移動した回数Ｎを計数して位置登録回数記憶部１３３に記憶する。そして、図３に示すように、位置登録サーバ４００に位置登録を行う（１）と同時に移動回数Ｎを交換ノード３００に通知する（２）。
【００２１】
上記交換ノード３００は、位置登録回数閾値記憶部３３３に予め決められた移動回数の閾値Ｓを保持し、移動無線端末１００から通知される移動回数Ｎが閾値Ｓを超えていた場合に、その移動無線端末１００に広域ページングエリアを割り当て（３）、移動回数Ｎの通知の応答として広域ページングエリア番号と記憶部３３３で保持されている移動回数の閾値Ｓを通知する。移動無線端末１００から通知される移動回数Ｎが閾値Ｓを超えていなかった場合には、移動回数Ｎの通知の応答としてページングエリア番号と移動回数の閾値Ｓを通知する。
【００２２】
また、上記交換ノード３００は、移動無線端末１００の識別情報（以下、端末ＩＤ）と割り当てた広域ページングエリア番号またはページングエリア番号をＰＡ／広域ＰＡ番号記憶部３３２に記憶している。そして、移動無線端末１００への着信（４）があった場合には、その移動無線端末１００の端末ＩＤに広域ページングエリア番号が割り振られていれば、広域ページングエリア内の基地局２００に対して一斉呼び出しを行う（５）。この方式の場合、移動回数の閾値Ｓを調整することで、広域ページングエリアを割り当てる移動無線端末数が制限されるため、広域ページングエリアに含まれる基地局数が多くなっても無線リソースの消費を少なくすることができる。
【００２３】
上記システム構成の基で、移動無線端末１００が図２に示すようにページングエリアＳ１１、Ｓ１２、Ｓ２１、Ｓ２６、Ｓ２４を順に通過移動する場合を想定する。このとき、従来では個々のページングエリアを移動するたびに位置登録を繰り返し行うことになる。これに対して、本発明による方式では、広域ページングエリアＬ１、Ｌ２内の基地局２００が通知する広域ページングエリア番号を受信可能な圏内においては、位置登録を行う必要がない。このため、広域ページングエリアＬ１およびＬ２のみに位置登録を行えばよく、その分、無線リソースの消費を低減することが可能となる。
【００２４】
尚、本実施形態では、移動無線端末１００が移動回数Ｎを交換ノード３００に通知し、交換ノード３００で広域ページングエリアを管理するようにしたが、移動回数Ｎを位置登録サーバ４００に通知し、当該位置登録サーバ４００で広域ページングエリアを管理するようにして、複数の交換ノード３００を跨ぐ広域ページングエリアを定義するように応用することも可能である。
【００２５】
ところで、ページングエリアに割り当てられている移動無線端末１００が移動を繰り返すことにより、単位時間内の移動回数Ｎが交換ノード３００から通知された移動回数の閾値Ｓを越える場合があり得る。この場合には、移動無線端末１００から交換ノード３００に対して移動回数Ｎを通知する。交換ノード３００は、移動無線端末１００から通知された移動回数Ｎを改めて記憶部３３３に記憶している移動回数の閾値Ｓと比較し、Ｎが大きければ移動無線端末１００に対して広域ページングエリア番号と移動回数の閾値Ｓを応答する。移動無線端末１００は、それ以降、広域ページングエリア番号を使用して動作する。
【００２６】
逆に、広域ページングエリアに割り当てられて動作している移動無線端末１００において、単位時間内の移動回数Ｎが交換ノード３００から通知された移動回数の閾値Ｓを下回る場合があり得る。この場合も、移動無線端末１００から交換ノード３００に対してその移動回数Ｎを通知する。交換ノード３００は、移動無線端末１００から通知された移動回数Ｎを改めて記憶部３３３に記憶している移動回数の閾値Ｓと比較し、Ｎが小さければ移動無線端末１００に対してページングエリア番号と移動回数の閾値Ｓを応答する。移動無線端末１００は、それ以降、ページングエリア番号を使用して動作する。
【００２７】
次に、移動無線端末１００がページングエリアを跨いで移動する回数により広域ページングエリアまたはページングエリアを割り当てるための閾値Ｓの決め方について説明する。
【００２８】
位置登録要求数は、位置登録サーバ４００の処理能力およびネットワーク上の位置登録パケットのトラヒック量が有限であることから、交換ノード３００ごとに単位時間に発生する位置登録数の上限目標Ｍ１を決める。また、移動無線端末１００に着呼する際に使用する無線リソースも有限であることから、交換ノード３００ごとに広域ページングエリアへの着呼数と広域ページングエリアに含まれる基地局２００の数との積を計算し、単位時間当たりの合計値の上限目標Ｍ２を決める。
【００２９】
これらの上限目標値Ｍ１およびＭ２は、構成管理サーバ５００からオペレータにより交換ノード３００に設定可能であり、交換ノード３００の条件（交換ノードに収用される基地局数やその基地局付近に存在する移動無線端末数、移動無線端末の移動頻度など）により交換ノードごとに決定され適宜変更される。また、交換ノード３００は、運用中に単位時間に発生する位置登録数を計数しており、定期的に位置登録の発生数Ｐが上限目標Ｍ１に占める割合Ｒ１＝Ｐ／Ｍ１を計算する。さらに、交換ノード３００は、運用中に単位時間に発生する広域ページングエリアへの着信呼数を広域ページングエリアごとに計数しており、各広域ページングエリアに含まれる基地局数との積Ｃの合計と上限目標Ｍ２に占める割合Ｒ２＝Ｃ／Ｍ２を計算する。
【００３０】
Ｒ１とＲ２を比較し、Ｒ１＞Ｒ２であれば、位置登録の発生数を減少させるために、広域ページングエリアへの割り当てを判断するための移動無線端末１００の移動回数の閾値Ｓを小さくする。反対に、Ｒ１＜Ｒ２であれば、広域ページングエリアへの着信が消費する無線リソースを少なくするために、閾値Ｓを大きくする。このように閾値Ｓを動的に変化させることにより、位置登録の発生回数と広域ページングエリアへの着信数を適正に保つことができる。
【００３１】
図４は広域ページングエリアの範囲を決定する様子を示している。広域ページングエリアが未定義のエリアにおいて、図４（ａ）に示すＰＡ１およびＰＡ２の２つのページングエリアに着目する。移動無線端末１００はページングエリアＰＡ１とページングエリアＰＡ２の間で移動すると、位置登録を行う。位置登録サーバ４００は、位置登録が行われた基地局２００を記憶し、基地局２００ごとにページングエリアＰＡ１とページングエリアＰＡ２の間で位置登録が行われた回数Ｌを計数する。また、位置登録サーバ４００は、位置登録回数Ｌの大きい基地局２００をまとめて広域ページングエリアとして定義し（図４（ｂ）の広域ＰＡ）、その基地局２００に広域ページングエリアを割り振ることを通知する。この時点で広域ページングエリアが使用可能となる。
【００３２】
その後、位置登録サーバ４００は、移動無線端末１００が広域ページングエリアから他のページングエリアに移動することにより発生する位置登録件数について位置登録を行った基地局ごとに計数する。そして、交換ノード３００の広域ＰＡ記憶部３３４に記憶され、回数が多い基地局２００を順次広域ページングエリアに追加登録する。これにより、移動無線端末１００が多く移動するエリアを広域ページングエリアとして動的に決定することができる。ここで、交換ノード３００が位置登録回数Ｌの計数を行い、かつ統計処理を行った後の結果を定期的に位置登録サーバ４００に転送することで、位置登録サーバ４００の処理を軽減するように工夫することもできる。
【００３３】
さらに、前述した広域ページングエリア決定の手順において、広域ページングエリアに基地局２００を追加することで広域ページングエリアから他のページングエリアに移動する移動無線端末１００の数が少ないエリアを決定することができ、そのエリアに含まれる基地局２００への着呼が無線リソースを過度に消費しない場合を想定する。この場合、例えば図４（ｃ）に示すように、広域ページングエリアに含まれる基地局２００をページングエリアＰＡ１またはページングエリアＰＡ２から削除し、新たなページングエリアＰＡ３として設定して広域ページングエリアを廃止する（ページングエリアの分割）。一方、ある２つのページングエリア間でハンドオーバによる位置登録が発生している場合には、これらが隣接しているものと判断する。しかも位置登録の発生が少ない場合には、図４（ｄ）に示すように、これらのページングエリアを結合して１つのページングエリアとする（ページングエリアの結合）。このようにしてページングエリアの分割および結合を動的に行うことで、位置登録の発生回数の少ないページングエリアを形成することが可能となる。
【００３４】
２つのページングエリア間でハンドオーバを繰り返す場合の対処について、図５を用いて説明する。
【００３５】
図５において、交換ノード３００には、ページングエリアＰＡ１，ＰＡ２，ＰＡ３を持つ基地局（ＣＳ１，ＣＳ２，ＣＳ３）が収容され、位置登録サーバ４００に接続されているものとする。移動無線端末１００は、ページングエリアＰＡ１に位置するとき、基地局ＣＳ１を通じて位置登録要求を出し、そのページングエリアＰＡ１のＰＡ番号を受け取る。そして、ページングエリアＰＡ１からページングエリアＰＡ２に移動するときに、ページングエリアＰＡ２で基地局ＣＳ２を通じて位置登録要求を出すとともに、移動前のページングエリアＰＡ１のＰＡ番号を位置登録ＰＡ番号記憶部１３２に記憶しておく。一方、交換ノード３００においても、移動無線端末１００が移動前にページングエリアＰＡ１に存在したことをＰＡ／広域ＰＡ番号記憶部３３２に記憶しておく。交換ノード３００は、交換網から上記の移動無線端末宛に着信があった場合に、位置登録サーバ４００に移動無線端末１００の位置するページングエリアを問い合わせる。そして、その応答としてページングエリアＰＡ１またはページングエリアＰＡ２が返された場合でも、ページングエリアＰＡ１とページングエリアＰＡ２の両方に移動無線端末１００に対する一斉呼び出しを行う。このようにすることで、移動無線端末１００においては、ページングエリアＰＡ１とページングエリアＰＡ２の範囲に位置する間は、新たに位置登録する必要がないので、位置登録回数を減らすことができる。さらに、移動無線端末１００において、過去に位置したページングエリアを２つ以上記憶するようにすれば、移動した軌跡に沿ったエリアにおいて位置登録を不要とすることも可能である。これは、移動無線端末１００が建物の中などの狭い範囲で移動する場合に位置登録回数を削減する効果がある。
【００３６】
尚、本実施形態では、移動無線端末１００と交換ノード３００が過去に存在したＰＡ番号を記憶するようにしたが、交換ノード３００のみが記憶することによっても、ネットワーク上の位置登録トラヒックを抑制する効果を得ることが可能である。この場合、移動無線端末１００は、ページングエリアを跨いで移動するごとに位置登録を行う。交換ノード３００は、新しく位置登録するページングエリアが過去に移動無線端末１００が存在したページングエリアであるかどうかをＰＡ／広域ＰＡ番号記憶部３３２を参照することで調べる。このとき、移動無線端末１００が過去に存在したページングエリアである場合には、位置登録サーバ４００への登録を行わず、ＰＡ／ＰＡ番号記憶部３３２の現ページングエリア番号と前ページングエリア番号の情報を更新して、移動無線端末１００に応答を返す。移動無線端末１００が過去に存在したページングエリアでない場合には、位置登録サーバ４００に位置登録を要求し、ＰＡ／広域ＰＡ番号記憶部３３２の情報を更新して移動無線端末１００に応答を返す。このようにして、移動無線端末１００や基地局２００は、既存の設備を変更せずに、ネットワーク上の位置登録によるトラヒックを抑制することができる。
【００３７】
また、前述した実施形態では、交換ノード３００に移動無線端末１００が過去に存在したページングエリア番号を記憶するようにしたが、移動無線端末１００と位置登録サーバ４００がこれを記憶するようにすることによっても同様な効果を得ることができる。ページングエリアＰＡ１とページングエリアＰＡ２が同一の交換ノードに収容されておらず、ＰＡ１が交換ノード３００−１に、ＰＡ２が交換ノード３００−２に収容されている場合を想定する（図示せず）。この場合には、移動無線端末１００の移動先のページングエリアＰＡ２が存在する交換ノード３００−２がページングエリアＰＡ１の存在する交換ノード１を位置登録サーバ４００に問い合わせ、着信呼を交換ノード３００−１に配信する。交換ノード３００−１は着信先のページングエリアを位置登録サーバ４００に再度問い合わせるが、最新のページングエリアＰＡ２が交換ノード３００−１に存在しないため、ページングエリアＰＡ１に一斉呼び出しを行うのみでページングエリアＰＡ２への返信は行わない。この方法によれば、特にページングエリアＰＡ１とページングエリアＰＡ２との境界付近に位置する移動無線端末１００においては、ページングエリアＰＡ１とページングエリアＰＡ２の間でハンドオーバを繰り返すことがなくなるため、位置登録回数を削減する効果が大きい。
【００３８】
次に、位置登録回数を削減する簡便な方法について、図６及び図７を参照して説明する。
【００３９】
前述したように、交換ノード３００は、ページングエリア内で発生する単位時間当たりの位置登録回数の上限の閾値Ｔを決め、位置登録回数記憶部３３１に記憶している。また、移動無線端末１００は、無線電界強度を測定しており、基地局２００と通信するための最低電界強度の閾値を決め、内部の周波数選択記憶部１３１に記憶している。移動無線端末１００は通話品質を維持し、ハンドオーバの発生を少なくするために、通常は最も電界強度の強い基地局２００を選択する。交換ノード３００は、各ページングエリア内で発生する単位時間当たりの位置登録回数が閾値を超えた場合には、基地局２００に移動無線端末１００からの位置登録要求に対して当該移動無線端末１００が決める電界強度の閾値まではハンドオーバを行わないように指示し、これによって位置登録回数を削減する。
【００４０】
本方式を応用すると、基地局２００が十分に配置されているエリアにおいては、２つの異なるページングエリアを割り当てられた基地局を混在させることで、１つの基地局が２つのページングエリア番号を持つのと同等の効果を実現できる。図６に示すように、ページングエリアＰＡ１とページングエリアＰＡ２の２つのページングエリアを持つ基地局２００−１，２００−２が混在し、ページングエリアＰＡ１とページングエリアＰＡ３の２つのページングエリアを持つ基地局２００−３，２００−４が混在する場合を相当する。このような状況下で、移動無線端末１００が図６に示す経路で移動すると、移動無線端末１００が受信する電界強度は図７に示すようになる。移動無線端末１００は最初ページングエリアＰＡ１に位置登録し、その後、基地局２００−２近傍に移動する。基地局２００−２の近傍では、ページングエリアＰＡ２の電界強度が最大であるが、ページングエリアＰＡ１の電界が最低電界強度の閾値を上回っているので、ハンドオーバを行わずにページングエリアＰＡ１の通知を受けつつ移動する。図６の移動経路では、ページングエリアＰＡ１の電界が最低電界強度を上回ったままとなるため、ページングエリアＰＡ２およびページングエリアＰＡ３に位置登録することはなく、これによって位置登録回数を少なくすることができる。
【００４１】
ここで、位置登録サーバ４００において、移動無線端末１００からのページングエリアＰＡ１への位置登録要求を拒否することで、ページングエリアＰＡ１を広域ページングエリアとしてリザーブすることができる。この場合、広域ページングエリアを割り振られた移動無線端末１００以外が図６の経路を移動する場合には、ページングエリアＰＡ２、ＰＡ３に位置登録する。このようにして、１つの基地局が２つのページングエリアを通知するのと同等の効果を得ることができる。
【００４２】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４３】
【図１】本発明に係る移動通信システムの一実施形態の基本構成を示すブロック図。
【図２】図１に示す移動通信システムの仕組みを説明するための概略図。
【図３】図２に示す無線通信システムの移動無線端末の移動時における通信処理を説明するためのシーケンス図。
【図４】上記実施形態において、広域ページングエリアを決定する様子を示す概念図。
【図５】上記実施形態において、２つのページングエリア間でハンドオーバを繰り返す場合の対処例を示す概念図。
【図６】上記実施形態において、位置登録回数を削減する簡便な方法を説明するための基地局配置例を示す概念図。
【図７】図６に示すシステム例において、移動無線端末の移動時の各ページングエリアにおける電界強度のスペクトラムと位置登録との関係を示す波形図。
【符号の説明】
【００４４】
１００…移動無線端末、１１０…無線送受信部、１２０…主演算部、１３１…周波数選択記憶部、１３２…位置登録ＰＡ番号記憶部、１３３…位置登録回数記憶部、２００…基地局、２１０…無線送受信部、２２０…主演算部、２３１…管轄ＰＡ番号記憶部、２４１…交換ノードインタフェース、３００…交換ノード、３２０…主演算部、３３１…位置登録回数記憶部、３３２…ＰＡ／広域ＰＡ番号記憶部、３３３…位置登録回数閾値記憶部、３３４…広域ＰＡ記憶部、３４１…基地局インタフェース、３４２…電話回線網インタフェース、３４３…ＩＰ網インタフェース、３４４…保守インタフェース、４００…位置登録サーバ、５００…構成管理サーバ。
【図１】
2009076974.tif 000003
【図２】
2009076974.tif 000004
【図３】
2009076974.tif 000005
【図４】
2009076974.tif 000006
【図５】
2009076974.tif 000007
【図６】
2009076974.tif 000008
【図７】
2009076974.tif 000009